(57)【要約】【課題】帽子本体とつばの分離及び結合が容易になり、所望の帽子本体とつばに入れ替ることによって多様な演出が可能であるとともに独創的な趣を提供する新しい構造のつば交替型帽子を提供する。【解決手段】人の頭部を取り囲む帽子本体と前記帽子本体の一側に結合及び分離可能に構成される帽子用つばとを備えたつば交替型帽子であって、前記帽子本体の下部外周面に沿って形成されるレール部と、前記つばの一側を取り囲むように結合される結合部と、前記結合部の一側に結合され、前記レール部にスライド締結される締結溝部とを含む。【選択図】図１
2019183363.tif 000002
【特許請求の範囲】
【請求項１】
人の頭部を取り囲む帽子本体と前記帽子本体の一側に結合及び分離可能に構成される帽子用つばとを備えたつば交替型帽子であって、
前記帽子本体の下部外周面に沿って形成されるレール部と、
前記つばの一側を取り囲むように結合される結合部と、
前記結合部の一側に結合され、前記レール部にスライド締結される締結溝部とを含む、つば交替型帽子。
【請求項２】
前記レール部は、
長手方向に伸びる帯状の胴体と、
前記胴体の一側面に段差を成し、前記帽子本体の下部外周面に接触する段差部と、
前記胴体の中央に長手方向に沿って形成された複数の貫通孔を有し、前記帽子本体の下部外周面及び前記胴体を縫着で結合させる縫着部と、
前記胴体の他側面に沿って一定間隔で突出する突起部と、
前記締結溝部の一端に結合されるように、前記胴体の両側末端に斜めに形成されるガイド部とを含む、請求項１に記載のつば交替型帽子。
【請求項３】
前記結合部は、
前記つばの上下部に接触する一対のプレートと、
前記プレートの一側を仕上げる板状の仕上板と、
前記プレートの両側に結合され、前記つばの左右両側を取り囲むサイド板と、
固定ピンが結合されるように前記プレートの一面に貫設された複数の結合孔とを含む、請求項１に記載のつば交替型帽子。
【請求項４】
前記締結溝部は、
前記胴体に対応する長さで形成され、前記胴体を収容するボディーと、
前記ボディーの一面に沿って前記突起部に対応する位置に形成された溝を有する結合溝と、
前記ボディーの両側端に配置され、前記胴体に結合された前記ボディーのスライド移動を制限する一対のストッパーとを含み、
前記ストッパーは、
前記ボディーの上端部に貫設された挿入孔と、
前記挿入孔の内部で上下方に移動するように所定の長さで形成された棒状のピンと、
前記ピンを摘んで昇降させることができるように前記ピンの一側に形成されたつまみ部とを含み、
前記ピンは下方に移動して前記突起部の間に収容されることによって前記ボディーのスライド移動を制限する、請求項２に記載のつば交替型帽子。
【発明の詳細な説明】
【技術分野】
【０００１】
本発明はつば交替型帽子に関し、より詳しくは帽子本体に対するつばの分離及び結合を容易にし、所望の帽子本体とつばに交替することができるようにして、多様な演出が可能であり、独創的な趣を提供するつば交替型帽子に関する。
【背景技術】
【０００２】
一般に、人の頭部に着用される帽子は、ヘルメットなどのように外部衝撃から人の頭部を保護するために着用される保護用帽子と多様な趣とファッションのために着用されるファッション用帽子などに区分することができる。ファッション用帽子は、人の頭部を取り囲む帽子本体と、日光などを遮るためのつばとから構成される。
【０００３】
ここで、ファッション用帽子は帽子本体とつばが一体的に固定結合されているため、サッカーなどの運動をするとき、つばにサッカーボールがぶつかって負傷の危険がある。このような場合を避けるために、つばを人の頭部の後側に位置させるように逆さまに被る事例が頻繁に発生する。この場合、頭部の後側に向かっているつばが使用者の首又は背中部に触れて、帽子をかぶった使用者が不便さを感じることになる問題点がある。
【０００４】
また、日光がなくて曇っている日もしくは雨が降る日にはつばによって使用者の視野角が狭くなって安全事故の危険が高くなる問題点がある。
【０００５】
このような問題点を解決するために、つばが帽子本体に着脱可能に構成されてつばを交替して使うことができるように構成された帽子が提案された。このような帽子は、つばを交替して多様な演出が可能な利点を有する。
【０００６】
しかし、つばが着脱可能に構成される従来の帽子は、つばと帽子本体を着脱可能にする構成が帽子の外部に露出され、よって帽子が通常の帽子形態とは違う形態を有することになり、このような点のため消費者に不慣れな拒否感を与えた。したがって、従来のつばが交替可能に構成された帽子は実用化することができなかった。
【発明の概要】
【発明が解決しようとする課題】
【０００７】
本発明は前記のような従来技術の問題点を解決するためになされたもので、帽子本体の下部外周面に沿って形成されるレール部、つばの一側を取り囲むように結合される結合部、及び結合部の一側に結合され、レール部にスライド締結される締結溝部を含むことによって帽子本体とつばの分離及び結合が容易になり、所望の帽子本体とつばに入れ替えることにより、多様な演出が可能であるとともに独創的な趣を提供する新しい構造のつば交替型帽子を提供することを目的とする。
【課題を解決するための手段】
【０００８】
本発明は、前記のような課題を解決するために、人の頭部を取り囲む帽子本体と前記帽子本体の一側に結合及び分離可能に構成される帽子用つばとを備えたつば交替型帽子であって、前記帽子本体の下部外周面に沿って形成されるレール部と、前記つばの一側を取り囲むように結合される結合部と、前記結合部の一側に結合され、前記レール部にスライド締結される締結溝部とを含む。
【０００９】
本発明の実施例によるつば交替型帽子において、前記レール部は、長手方向に伸びる帯状の胴体と、前記胴体の一側面に段差を成し、前記帽子本体の下部外周面に接触する段差部と、前記胴体の中央に長手方向に沿って形成された複数の貫通孔を有し、前記帽子本体の下部外周面及び前記胴体を縫着で結合させる縫着部と、前記胴体の他側面に沿って一定間隔で突出する突起部と、前記締結溝部の一端に結合されるように、前記胴体の両側末端に斜めに形成されるガイド部とを含むことができる。
【００１０】
本発明の実施例によるつば交替型帽子において、前記結合部は、前記つばの上下部に接触する一対のプレートと、前記プレートの一側を仕上げる板状の仕上板と、前記プレートの両側に結合され、前記つばの左右両側を取り囲むサイド板と、固定ピンが結合されるように前記プレートの一面に貫設された複数の結合孔とを含むことができる。
【００１１】
本発明の実施例によるつば交替型帽子において、前記締結溝部は、前記胴体に対応する長さで形成され、前記胴体を収容するボディーと、前記ボディーの一面に沿って前記突起部に対応する位置に形成された溝を有する結合溝と、前記ボディーの両側端に配置され、前記胴体に結合された前記ボディーのスライド移動を制限する一対のストッパーとを含み、前記ストッパーは、前記ボディーの上端部に貫設された挿入孔と、前記挿入孔の内部で上下方に移動するように所定の長さで形成された棒状のピンと、前記ピンを摘んで昇降させることができるように前記ピンの一側に形成されたつまみ部とを含み、前記ピンは下方に移動して前記突起部の間に収容されることによって前記ボディーのスライド移動を制限することができる。
【発明の効果】
【００１２】
本発明によるつば交替型帽子は、帽子本体とつばの分離及び結合が容易であって所望の帽子本体とつばに交替して多様な演出が可能であるので、独創的な趣を追い求める使用者の個性を満たして満足感を高める効果を有することができる。
【００１３】
また、本発明によるつば交替型帽子は、つばが帽子本体の下部外周面に沿って一側にスライド移動ができるので、帽子本体の移動なしにつばのみ移動させることにより、ヒップホップを追い求める使用者に便利性を提供する効果を有することができる。
【００１４】
また、本発明によるつば交替型帽子は、ストッパーを備えることにより、単純な構造でつばが帽子本体から分離又は離脱されることを防止する効果を有することができる。
【図面の簡単な説明】
【００１５】
【図１】本発明の実施例によるつば交替型帽子の外観を概略的に示した斜視図である。
【図２】図１の分解斜視図である。
【図３】つばが帽子本体の下部外周面に沿って一側にスライド移動した状態を示した斜視図である。
【図４】図１の断面図である。
【図５】本発明のストッパーを示した断面図である。
【図６】本発明の帽子本体に対してつばを取り替えた状態を示した例示図である。
【発明を実施するための形態】
【００１６】
以下、添付図面に基づき、本発明が属する技術分野で通常の知識を有する者が本発明を容易に実施することができるようにする好適な実施例を詳細に説明する。ただし、本発明の好適な実施例の動作原理を詳細に説明するにあたり、関連の公知の機能又は構成についての具体的な説明が本発明の要旨を不必要にあいまいにすることができると判断される場合にはその詳細な説明を省略する。
【００１７】
また、図面全般にわたって類似の機能及び作用をする部分に対しては同じ図面符号を付ける。
【００１８】
また、明細書全般にわたり、ある部分が他の部分と‘連結’されていると言うのは、直接的に連結されている場合だけでなく、その中間に他の構成要素を挟んで間接的に連結されている場合も含む。また、ある構成要素を‘含む’と言うのは、特に反対する記載がない限り、他の構成要素を排除するものではなく、他の構成要素をさらに含むことができることを意味する。
【００１９】
また、明細書全般にわたって使われる‘上部’及び‘下部’という用語の定義において、帽子本体を使用者の頭部にかぶって立っている場合、前方に向かう面が正面であり、正面を基準として上方に向かう部分が上部であり、地面に向かう部分が下部である。
【００２０】
以下、添付図面に基づいて本発明の好適な実施例によるつば交替型帽子について詳細に説明する。
【００２１】
図１は本発明の実施例によるつば交替型帽子の外観を概略的に示した斜視図、図２は図１の分解斜視図、図３はつばが帽子本体の下部外周面に沿って一側にスライド移動した状態を示した斜視図、図４は図１の断面図、図５は本発明のストッパーを示した断面図、図６は本発明の帽子本体に対してつばを取り替えた状態を示した例示図である。
【００２２】
図１に示したように、本発明の実施例によるつば交替型帽子１０は人の頭部を取り囲む帽子本体１１と帽子本体の一側に着脱可能に構成される帽子用つば１２とを備えるつば交替型帽子１０であって、帽子本体の下部外周面に沿って形成されるレール部１００、つばの一側を取り囲むように結合される結合部２００、及び結合部の一側に結合され、前記レール部にスライド締結される締結溝部３００を含む。
【００２３】
ここで、帽子本体１１は人の頭部を取り囲むもので、頭部に被せられて固定されるように、纎維を含む素材から頭部の形状に対応するように形成されたキャップからなる。
【００２４】
つば１２は帽子本体１１の外周面の一側に結合されて日光を遮断し、使用者の顔面を直射光線から保護する役割をする。
【００２５】
また、つば１２はこの明細書の図面には曲がった形状として示されているが、曲がった形状だけでなく平らな（ｆｌａｔ）形状に形成されることもできる。そして、後述する締結溝部３００がつば１２の一側に結合される場合、つば１２の曲がった形状又は平らな形状に対応して製造されることができる。
【００２６】
図１及び図２を参照すると、レール部１００は帽子本体１１の下部外周面に沿って形成され、後述する締結溝部３００とスライド可能に締結されてつば１２を結合させる役割をする。このために、レール部１００は、胴体１１０、段差部１２０、縫着部１３０、突起部１４０及びガイド部１５０を含む
【００２７】
胴体１１０は長手方向に伸びる帯状に形成される。このような胴体１１０はプラスチック素材又はゴム素材から形成され、帽子本体１１の外観の形状を変形させないように帽子本体１１の下部外周面に沿って形成される。
【００２８】
また、胴体１１０は所定の高さで形成され、後述する締結溝部３００との締結時、つば１２を支える。そして、胴体１１０は帽子本体１１の外周面下部に独創的なデザインで演出される要素として活用されることが好ましい。
【００２９】
図４を参照すると、段差部１２０は胴体１１０の一側面に段差をなして帽子本体１１の下部外周面に接触する。
【００３０】
言い換えれば、段差部１２０は胴体１１０の一側面から段差をなして突出し、突出した一面が帽子本体１１の外周面に接触する。特に、段差部１２０には、締結溝部３００と締結される過程で胴体１１０が締結溝部３００の内部に全く収容された状態でスライド移動するために段差が形成されることは言うまでもない。
【００３１】
図１及び図３を参照すると、縫着部１３０は胴体１１０の中央に長手方向に沿って複数の貫通孔１３１が形成されることにより、帽子本体１１の下部外周面に段差部１２０を縫着して結合させることができるようにする役割をする。
【００３２】
このような縫着部１３０はボンド接着によって発生する不良率を最小化し、帽子本体１１及び胴体１１０の結合を堅固にする。
【００３３】
突起部１４０は胴体１１０の他側面に沿って一定間隔で突出する。
【００３４】
詳述すると、突起部１４０は胴体１１０の他側面に沿って垂直な形状に突出し、一定間隔で複数が突出する。そして、突起部１４０は縫着部１３０によって胴体１１０の他側面に上部及び下部が互いに離隔して突出する形状を有する。
【００３５】
また、突起部１４０は、隣り合う突起間に空間が形成され、この空間に後述するピン３３２を収容するようにする。
【００３６】
また、突起部１４０は垂直軸を基準に両側が突出する方向に傾く三角柱から形成されることができる。これは、締結溝部３００がレール部１００にスライド締結するとき、締結溝部３００に形成された後述の結合溝３２０に結合されることで、締結溝部３００が左右にスライド移動することを最小化することにより、つば１２が帽子本体１１の外周面に結合された状態を維持させるためである。
【００３７】
また、使用者がつば１２を握って左右方向にスライド移動させると、突起部１４０が結合溝３２０から離脱することは言うまでもない。
【００３８】
ガイド部１５０は胴体１１０の両側末端が締結溝部３００の一端に結合されるように斜めに形成される。すなわち、ガイド部１５０は胴体１１０の両側末端の上部及び下部が傾いて尖っている形状に形成される。これにより、締結溝部３００の一端を胴体１１０に外嵌することが容易になる。
【００３９】
図１及び図２を参照すると、結合部２００はつば１２の一側を取り囲むように結合されるもので、その一側に締結溝部３００が結合されることにより、締結溝部３００をレール部１００に締結する役割をする。このために、結合部２００は、一対のプレート２１０、仕上板２２０、サイド板２３０及び結合孔２４０を含む。
【００４０】
プレート２１０はつば１２の上下部に接触するように板状に形成される。
【００４１】
ここで、プレート２１０は所定の厚さを有するように形成され、一側は帽子本体１１の下部外周面の形状に対応する曲率を有するように形成され、他側はつば１２の先端部の形状に対応するように形成されることができる。
【００４２】
仕上板２２０はプレート２１０の一側を仕上げる板状のものであり、締結溝部３００が仕上板の一側に結合されることにより、つば１２をレール部１００に締結させる役割をする。
【００４３】
サイド板２３０はプレート２１０の両側に結合されてつば１２の左右両側を取り囲む役割をする。
【００４４】
結合孔２４０はプレート２１０の一面に、固定ピンが結合されるように、複数が貫設される。すなわち、結合孔２４０はつば１２の一側の上部及び下部に接触するプレート２１０の一面に複数が貫設され、固定ピンによってつば１２及びプレート２１０が結合される。
【００４５】
図２を参照すると、締結溝部３００は結合部２００の一側に結合され、レール部１００にスライド締結される。このために、締結溝部３００は、ボディー３１０、結合溝３２０及びストッパー３３０を含む。
【００４６】
ボディー３１０は胴体１１０に対応する長さで形成され、胴体１１０を収容する役割をする。
【００４７】
言い換えれば、ボディー３１０は、長手方向に伸びる帯状の板、板の上下端から所定距離で一方向に伸びる壁、及び壁の両側末端から内側に折り曲げられる一対の折曲板を含む。
【００４８】
ここで、折曲板は互いに隔たって見合うように形成される。これは、ボディー３１０が段差部１２０の上下側に接触したままでスライドするためであり、段差部１２０が帽子本体１１に縫着されているからボディー３１０は段差部１２０の幅の分だけ開放しなければならないので、折曲板が離隔して形成されることは当たり前である。
【００４９】
結合溝３２０はボディー３１０の一面に沿って突起部１４０と対応する位置に形成される。
【００５０】
すなわち、結合溝３２０はボディー３１０の一面に凹んでいる溝として形成され、ボディー３１０及び胴体１１０のスライド締結時、ボディー３１０の他側面に突設された突起部１４０がボディー３１０の移動によって溝に結合される。
【００５１】
したがって、結合溝３２０はボディー３１０及び胴体１１０の結合力を維持させる役割をする。
【００５２】
このように、締結溝部３００はレール部１００にスライド締結され、図６に示したように、レール部１００に沿って移動することによって結合及び分離が可能になる。よって、帽子本体１１及びつば１２の分離及び結合が容易になる利点を有する。
【００５３】
そして、帽子本体１１及びつば１２の分離及び結合のおかげで、複数の相異なる帽子本体及びつばを備え、これらを多様に組合せてを結合させることにより、使用者が望む多様なデザインで演出することができる。
【００５４】
図５を参照すると、ストッパー３３０はボディー３１０の両側端に配置され、胴体１１０に結合されたボディー３１０のスライド移動を制限する。このために、ストッパー３３０は、挿入孔３３１、ピン３３２及びつまみ部３３３を含む。
【００５５】
挿入孔３３１はボディー３１０に貫設されるもので、後述するピン３３２を収容する役割をする。
【００５６】
ピン３３２は挿入孔３３１の内部で上下方に移動するように所定長さで形成された棒状を有する。
【００５７】
ここで、ピン３３２は下方に移動して突起部１４０の間に収容されることにより、ボディー３１０のスライド移動を制限することになる。
【００５８】
すなわち、ピン３３２はボディー３１０の上端部に形成された挿入孔３３１に位置するとともに胴体１１０の他側面に形成された突起部１４０の間に位置することによってボディー３１０の移動を制限し、つば１２を帽子本体１１に堅固に結合させる。
【００５９】
つまみ部３３３はピン３３２の一側に形成され、ピン３３２を摘んで昇降させることができるように、ピン３３２の直径より大きく形成されることが好ましい。
【００６０】
一方、本発明の実施例によるつば交替型帽子１０は、つば１２の一側を取り囲むように結合される結合部２００の構成なしに、金型で射出することにより、レール部１００にスライド結合する締結溝部３００をつば１２の一側に形成することも可能である。
【００６１】
以上で説明したように、本発明の詳細な説明では本発明の好適な実施例について説明したが、これは本発明の最良の実施例を例示的に説明したもので、本発明を限定するものではない。また、本発明が属する技術分野の通常の知識を有する者であれば誰でも本発明の技術思想の範疇を逸脱しない範疇内で多様な変形及び模倣が可能であることは言うまでもない。
【００６２】
したがって、本発明の権利範囲は上述した実施例に限定されるものではなく添付の特許請求の範囲内で多様な形態の実施例に具現可能である。そして、特許請求範囲で請求する本発明の要旨を逸脱することなしに本発明が属する技術分野で通常の知識を有する者であれば誰でも変形可能な多様な範囲まで本発明の請求範囲の範疇にあるものと見なす。
【符号の説明】
【００６３】
１０      つば交替型帽子
１１      帽子本体
１２      つば
１００    レール部
１１０    胴体
１２０    段差部
１３０    縫着部
１３１    貫通孔
１４０    突起部
１５０    ガイド部
２００    結合部
２１０    プレート
２２０    仕上板
２３０    サイド板
２４０    結合孔
３００    締結溝部
３１０    ボディー
３２０    結合溝
３３０    ストッパー
３３１    挿入孔
３３２    ピン
３３３    つまみ部
【図１】
2019183363.tif 000003
【図２】
2019183363.tif 000004
【図３】
2019183363.tif 000005
【図４】
2019183363.tif 000006
【図５】
2019183363.tif 000007
【図６】
2019183363.tif 000008